(57)【要約】  軟質縫合アンカー構築物は、組織または骨内にまたはそれらに寄せて配置されるために提供される。アンカーは、事前配備された構成における第一の方向に位置付けられた二つの端部を有する全縫合アンカーを含む。配備された構成において、二つの端部は、第一の方向とは異なる第二の方向に位置付けられる。縫合アンカー構築物はまた、複数の通過位置でアンカーを通過するフィラメントを含み、フィラメントがアンカーの長手方向軸の方向に沿って少なくとも一回方向を変更し、少なくとも一つのたるみ線を形成する。事前配備された構成において、フィラメントは、隣接する通過位置の間に第一の長さだけ延伸し、配備された構成において、フィラメントは、隣接する通過位置の間に第二の長さだけ延伸する。第二の長さは第一の長さよりも短い。縫合アンカー構築物は、インサータ、アンカードライバー、またはその他の配備装置を用いて骨穴に配置され得る。【選択図】図１
2020522329.tif 000002
【特許請求の範囲】
【請求項１】
軟質縫合アンカー構築物であって、
長手方向軸に沿って延び、事前配備された構成において第一の方向に位置付けられた二つの端部を有する全縫合アンカーを含み、
前記二つの端部が、配備された構成における前記第一の方向とは異なる第二の方向に位置付けられる、軟質縫合アンカー構築物。
【請求項２】
前記配備された構成において、前記アンカーの前記二つの端部間に、少なくとも四つのプリーツをさらに含む、請求項１に記載の縫合アンカー構築物。
【請求項３】
複数の通過位置での前記全縫合アンカーを通して縫われたフィラメントをさらに含み、前記フィラメントが、前記アンカーの前記長手方向軸の方向に沿って少なくとも一回方向を変更し、少なくとも一つのたるみ線を形成する、請求項２に記載の縫合アンカー構築物。
【請求項４】
各プリーツが、前記配備された構成の隣接する通過位置の間に形成される、請求項３に記載の縫合アンカー構築物。
【請求項５】
前記フィラメントが二つの端部を有し、前記二つの端部のそれぞれが中央通過位置から延伸する、請求項３に記載の縫合アンカー構築物。
【請求項６】
前記事前配備された構成において、前記フィラメントは、隣接する通過位置間で第一の長さだけ延伸し、前記配備された構成において、前記フィラメントは、前記隣接する通過位置の間で第二の長さだけ延伸し、前記第二の長さは前記第一の長さよりも短い、請求項３に記載の縫合アンカー構築物。
【請求項７】
前記長軸方向の通過位置が、前記アンカーの中央通過位置と前記二つの端部との間に配置される、請求項５に記載の縫合アンカー構築物。
【請求項８】
前記配備された構成において、前記アンカーが前記事前配備された構成における前記アンカーよりも少なくとも一つの方向において大きい、請求項１に記載の縫合アンカー構築物。
【請求項９】
前記配備された構成において、前記アンカーが前記事前配備された構成における前記アンカーより少なくとも一つの方向において小さい、請求項８に記載の縫合アンカー構築物。
【請求項１０】
前記通過位置が、ある角度で配置されているか、または前記長手方向軸に対して垂直である、請求項３に記載の縫合アンカー構築物。
【請求項１１】
前記配備された構成において、前記アンカーの前記二つの端部が前記たるみ線の方向に位置付けられる、請求項３に記載の縫合アンカー構築物。
【請求項１２】
長手方向軸に沿って延在し、事前配備された構成において第一の方向に位置付けられる二つの端部を有するアンカーであって、前記二つの端部が配備された構成における前記第一の方向とは異なる第二の方向に位置付けられる、アンカーと、
二つの自由端を有し、かつ複数の通過位置で前記アンカーを通過するフィラメントであって、前記フィラメントが前記アンカーの前記長手方向軸の方向に沿って少なくとも一回方向を変更し、少なくとも一つのたるみ線を形成する、フィラメントと、
フォーク状の先端を有する配備装置と、を含み、
前記アンカーが、前記二つの自由端の間の前記フォーク状の先端内に位置付けられる、軟質縫合アンカー構築物システム。
【請求項１３】
長手方向軸に対してある角度で前記フィラメントの第一の端部および第二の端部を固定および張力をかける前記配備装置上の張力機構をさらに含む、請求項１２に記載のシステム。
【請求項１４】
作動すると、前記アンカーの前記二つの端部を、前記事前配備された構成の前記第一の方向から、前記配備された構成の前記第二の方向に移動させ、前記配備された構成において、前記アンカーの前記二つの端部は前記たるみ線の方向に位置付けられる、前記張力機構に接続された作動機構を含む、請求項１３に記載のシステム。
【請求項１５】
アンカーを配備する方法であって、前記方法が、
アンカーを提供するステップと、
第一の端部および第二の端部を有するフィラメントを提供するステップであって、前記フィラメントが複数の通過位置で前記アンカーを通過し、前記フィラメントが、前記アンカーの前記長手方向軸の方向に沿って少なくとも一回方向を変更し、少なくとも一つのたるみ線を形成する、提供するステップと、
骨穴を準備するステップと、
前記アンカーを前記穴に通過させるステップであって、前記アンカーが、前記フィラメントが、隣接する通過位置の間に第一の長さだけ延伸する事前配備された構成にある、通過させるステップと、
前記フィラメントに張力をかけることであって、張力をかけた後、前記フィラメントが、隣接する通過位置の間に第二の長さだけ延伸し、前記第二の長さが、前記アンカーが配備された構成に変更されるように、前記第一の長さより短いものである、張力をかけるステップと、を含む、方法。
【請求項１６】
前記事前配備された構成において、前記アンカーの二つの端部が第一の方向に位置付けられ、前記配備された構成の場合、前記アンカーの二つの端部は、前記第一の方向とは異なる第二の方向に位置付けられ、前記第二の方向は、前記たるみ線の方向に位置付けられる、請求項１５に記載の方法。
【請求項１７】
前記フィラメントに張力をかけるステップが、前記穴の中の前記アンカーの前記二つの端部を前記第二の方向に向かって回転させるステップを含む、請求項１６に記載の方法。
【請求項１８】
フォーク状の先端を有する配備装置を提供するステップと、
前記フィラメントの前記第一の端部と前記第二の端部との間に前記フォーク状の先端内の前記アンカーをロードするステップと、をさらに含む、請求項１４に記載の方法。
【請求項１９】
前記アンカーを通過するフィラメントがなくなるまで、前記フィラメントの前記第一の端部を引っ張るステップをさらに含む、請求項１５に記載の方法。
【請求項２０】
前記アンカーのサイズを前記配備された構成の少なくとも一つの方向に増大させるステップをさらに含む、請求項１５に記載の方法。
【請求項２１】
前記配備された構成における前記アンカーの前記二つの端部間に、少なくとも四つのプリーツを形成するステップをさらに含む、請求項１５に記載の方法。
【発明の詳細な説明】
【技術分野】
【０００１】
関連出願の相互参照
本出願は、２０１７年８月２５日出願の米国特許非仮出願番号第１５／６８７０４０号、２０１７年６月５日出願の米国特許仮出願第６２／５１５０２３号、２０１７年６月９日出願の米国特許仮出願第６２／５１７３９５号の優先権および利益を主張する。
【０００２】
本発明は、先端部内を含む身体内固定のための軟質縫合アンカー構築物に関連し、より具体的には、狭く浅い骨穴内に固定可能な全縫合アンカーを有する軟質縫合アンカー構築物に関する。
【背景技術】
【０００３】
関連技術の説明
アンカーは、望ましい取り付け場所に、骨または軟組織などの物体を捕捉および保持するために、外科手術中に一般的に使用される。特に、従来的な全縫合アンカーは、（当業者に理解されるように）全縫合アンカーを含む軟質材料の特定の利益により、軟組織を骨に修復するために使用されることが多い。従来的な全縫合アンカーを配備するために、アンカーは骨のあらかじめ形成された穴に挿入される。縫合糸またはその他のフィラメントは、アンカーを通して縫われ、周りに固定され、アンカーから骨穴の外に延伸する。次に、縫合糸またはその他のフィラメントを使用して、軟組織を通してループ化またはその他の方法でそれに取り付ける（またはすでにそれに取り付けられ得る）。従って、縫合糸またはその他のフィラメントが張力を受けた時、軟組織およびアンカーが相互に対して望ましい位置に引っ張られる。
【０００４】
先端部おける軟組織固定を含む多くの手術では、例えば、手術の位置の性質により、狭い直径を有する浅い穴に用いることができるアンカーを有する必要がある。浅い骨穴には、アンカーが浅い骨穴から離れるように移動することが、アンカーを骨穴から完全に解放する可能性があるため、アンカーが極めて優れた保持能力を有することが必要である。多くの要因が、縫合アンカーの保持能力に影響を与える可能性がある。例えば、骨穴の組織のタイプおよびサイズなどの外部要因は、縫合アンカーの保持能力に影響を与える。サイズ、形状、および材料組成などのアンカーの設計に関連するその他の要因も、保持能力に影響を与える。さらに、縫合アンカーの配備方法は、縫合アンカーの保持能力にも影響を与える可能性がある。
【０００５】
骨穴のための従来的な軟質縫合アンカーは大きすぎることがよくあり、先端の浅く狭い骨穴から外へ延在し得る。不適切な縫合アンカーは不安定性を増加させ、アンカーの露出した部分を囲む組織に炎症または損傷を引き起こす可能性がある。問題に対処する試みは、浅く狭い骨穴に適合させるために、従来の縫合アンカーのサイズを縮小させることが含まれる。しかしながら、従来的な縫合アンカーのサイズが減少すると、アンカーは保持能力を失い、故に骨穴内で不安定である。
【０００６】
前述のことに鑑み、発明者らは、浅く狭い骨穴の中に取り付けられたときに信頼できる保持能力を提供する縫合アンカーの継続的必要性を特定し、認識してきた。
【０００７】
関連技術セクションの免責条項の説明：特定の特許／刊行物／製品がこの関連技術セクションの説明またはこの開示の他の場所で議論されている限り、これらの議論は議論された特許／刊行物／製品は特許法の目的のための先行技術であるという許可として受け取るべきではない。例えば、考察された特許／刊行物／製品の一部または全ては、時間的に十分早期でなくてもよく、時間的に十分初期に発展した主題を反映しなくてもよく、および／または特許法の目的のために先行技術なるように、十分に有効化されなくてもよい。特定の特許／刊行物／製品が、この関連技術セクションの説明および／または出願全体を通して上記で議論されている限り、その説明／開示は参照により全て本明細書に組み込まれる。
【発明の概要】
【０００８】
本発明の実施形態は、（本明細書では上記で論じた）従来的な縫合アンカーでの潜在的な問題および／または欠点があることを認識する。例えば、従来的な縫合アンカーが狭い骨穴に適合するようにスケールダウンされた時、スケールダウンされた縫合アンカーはその保持能力を失い、そのため骨穴から引っ張られる可能性がより高い。従って、保持能力を損なうことなく、骨の浅く狭い穴に最適に配置されたアンカーを有する簡単に使用できる軟質縫合アンカー構築物に対するニーズが存在する。本発明のさまざまな実施形態は、本明細書に記載される潜在的な問題および／または欠点のうちの一つまたは複数を解決または減少させうるという点で有利であり得る。
【０００９】
本開示は、軟質縫合アンカー構築物の発明の構成、構造、および結果的な機能を対象とする。軟質縫合アンカー構築物は、組織または骨に対して、その中、それを通して、またはそれに接して配備するために提供される。アンカーは、事前配備された構成の第一の方向に／第一の方向に面して位置付けられた二つの端部を有する全縫合アンカーを含み得る。配備された構成では、二つの端部は、第一の方向とは異なる第二の方向に／第二の方向に面して位置付けられる。
【００１０】
別の実施形態によれば、軟質縫合アンカー構築物システムはさらに、第一の端部および第二の端部を有するフィラメントを含む。フィラメントは、アンカーの二つの端部の間の通過位置を通過するアンカーを通過する。フィラメントは、少なくとも二つの中央通過位置および二つの長軸方向の通過位置でアンカーを通過することが好ましい。また、システムは、アンカーを捕捉し効果的に配備するように構成された、フォーク状のまたは他の同様な形状の先端を有するインサータ、アンカードライバー、その他の配備装置などのアンカー配備装置も含み得る（以下にさらに説明する）。アンカーは、バランスのとれた配備のために、二つの中央通過位置の間でフォーク状の先端内に位置付けられることが好ましい。
【００１１】
別の態様によれば、軟質縫合アンカー構築物を配備するための方法が提供されている。方法は、軟質縫合アンカーおよび第一の端部および第二の端部を有するフィラメントを提供することを含む。フィラメントは、アンカー内の二つの端部の間の通過位置でアンカーを通過する。具体的には、フィラメントは、少なくとも二つの中央通過位置および二つの長軸方向の通過位置を通過できる。骨の孔が準備された後、アンカーはアンカー配備装置によって穴に通される。アンカーは、フィラメントが、隣接する通過位置間に第一の長さだけ延在し、アンカーの端部が第一の方向に面する事前配備された構成にある。その後、骨穴のアンカードライバーの先端に上にいる間に、フィラメントはフィラメントの少なくとも一つの端を引くことによって張力を受けることができる。引張の結果として、フィラメントは、隣接する通過位置の間に第二の長さだけ延伸し、アンカーの端部は第一の方向とは異なる第二の方向に面する。第二の長さは、アンカーが配備された構成に変更されるように、第一の長さよりも短い。
【００１２】
フィラメント、縫合材料、または縫合糸は、その用語が使用され、本明細書に記載されるとき、単一フィラメントおよびブレード（すなわち、多フィラメント）縫合糸ならびに縫合糸の機能を実施するのに適した、その他任意の金属製または非金属のフィラメント材料またはワイヤ状材料を含む。この材料は、生体吸収性材料および非吸収性材料の両方を含み得る。
【００１３】
縫合アンカーは、その用語が本明細書で使用される場合、直径が骨穴のサイズよりも大きくなるように変形することにより、事前に形成された骨穴内に保持される縫合材料のフィラメントから形成される軟質縫合アンカーを含むことができ、それにより、海綿状骨内および骨皮質下に存在する。こうした縫合アンカーの一部の実施形態および骨穴に配備されたときの固有の機能性は、米国特許公開第２０１２／０２９０００４号に開示されており、本譲受人に譲渡されその全体が参照により本明細書に盛り込まれる。ソフトアンカーは通常、完全に縫合材料で作られているため、それらは「全縫合」アンカーと呼ばれることもあり、一般に繊維状構築物の固定身体部分（または、米国特許第９１７３６５２号に記載されているように、可撓性のウェブなどの繊維状、編組または織布タイプの構造）および、縫合糸またはフィラメント部分を含む。
【図面の簡単な説明】
【００１４】
本発明は、添付図面と併せて以下の詳細な説明を読むことにより、より完全に理解され、認識される。添付の図面は、開示された主題の一般的な実施形態のみを図示しており、開示された主題についてはその範囲を限定するものではなく、その他の同様に有効な実施形態を認めてもよい。
【００１５】
ここで添付図面を簡単に参照する。
【００１６】
【図１】図１は、実施形態による事前配備された構成における軟質縫合アンカー構築物の側面図である。
【図２】図２は、実施形態によるインサータ上にロードされた軟質縫合アンカー構築物の側面図である。
【図３】図３は、実施形態による、完全に組み立てられた配備装置にロードされた軟質縫合アンカー構築物の側面図である。
【図４】図４は、実施形態による、外側ハウジングが取り除かれた、配備装置の張力機構の側面図である。
【図５】図５は、実施形態による、配備装置の張力機構にロードされた軟質縫合アンカー構築物のフィラメントの側面図である。
【図６】図６は、実施形態による、完全に組み立てられた配備装置の張力機構のギアの斜視概略図である。
【図７】図７は、実施形態による、インサータ上にロードされ、骨穴に配置された軟質縫合アンカー構築物の側面図である。
【図８】図８は、実施形態による、事前配備および配備された構成の間の軟質縫合アンカー構築物の側面図である。
【図９】図９は、実施形態による、事前配備および配備された構成の間の軟質縫合アンカー構築物の別の側面図である。
【図１０】図１０は、実施形態による、事前配備および配備された構成の間の軟質縫合アンカー構築物の最終側面図である。
【図１１】図１１は、実施形態による、配備された構成における軟質縫合アンカー構築物の側面図である。
【図１２】図１２は、実施形態による、完全に配備された構成における軟質縫合アンカー構築物の側面図である。
【図１３】図１３は、実施形態による、完全に配備された構成における軟質縫合アンカー構築物の拡大斜視概略図である。
【図１４Ａ】図１４Ａは、実施形態による、事前配備された構成における軟質縫合アンカー構築物の側面図である。
【図１４Ｂ】図１４Ｂは、実施形態による、配備された構成にある図１４Ａの軟質縫合アンカー構築物の側面図である。
【図１４Ｃ】図１４Ｃは、実施形態による、事前配備された構成における軟質縫合アンカー構築物の側面図である。
【図１４Ｄ】図１４Ｄは、実施形態による、配備された構成にある図１４Ｃの軟質縫合アンカー構築物の側面図である。
【発明を実施するための形態】
【００１７】
ここで図面を参照すると、同様の参照番号が全体の同様の部品を参照するが、図１に、実施形態による軟質縫合アンカー構築物１０の側面図が示されている。図示した実施形態では、縫合アンカー構築物１０は、第一の端部２２および第二の端部２４を有するアンカー２０を含み、その間に近位側２６および遠位側２８が延在する。図１に図示したアンカー２０は全縫合アンカーであり、縫合糸の管状または非管状のストランドから構成され得る。アンカー２０はまた、円筒形で固体でもよく、または中空コアを有してもよく、平坦または非平面であり得る（本開示のレビューと併せて、当業者に理解されるべきである）。全縫合アンカー２０は、軟組織への固定に対してソフトであり、および周囲の組織および骨への損傷を最小限にするように構成され、最終的に位置付けられる（本開示のレビューと併せて、当業者に理解されるべきである）。
【００１８】
アンカー２０は、アンカー２０が配備中に理想的に比較的大きいかつ剛直なままであるため、ポリエステル縫合糸Ｎｏ．５から作られることが好ましい。ポリエステル縫合糸Ｎｏ．５アンカーは、例えば、典型的なＹ−Ｋｎｏｔ（登録商標）アンカーよりも高度に縫われ、密である。追加的な利点として、ポリエステル縫合糸Ｎｏ．５アンカー２０は、典型的なＹ−Ｋｎｏｔ（登録商標）アンカーの長さの５０％未満、１８ｍｍ〜４０ｍｍの長さである。このように、Ｙ−Ｋｎｏｔ（登録商標）アンカーは典型的には、２０ｍｍ〜２４ｍｍの骨穴で使用される一方、図１に図示したアンカー２０は、約１０ｍｍの狭い骨穴に配備されることが好ましい。
【００１９】
図１をさらに参照すると、軟質縫合アンカー構築物１０は、事前配備された構成のＴ字形状におけるアンカー２０を通して縫われた第一の端部３２および第二の端部３４とを備える通過フィラメント３０を含む。アンカー２０がフィラメント３０より厚くなる限り、フィラメント３０およびアンカー２０の本体サイズの異なる組み合わせが可能である。図１に示す実施形態では、アンカー２０はＮｏ．５縫合糸であり、フィラメント３０はＮｏ．０縫合糸である。Ｎｏ．５縫合アンカー２０の保持力は、それを通して縫われたＮｏ．０縫合糸フィラメント３０の引張強さよりも大きい。従って、Ｎｏ．０縫合糸フィラメント３０は、Ｎｏ．５縫合アンカー２０が配備され、骨穴に正しい位置で固定され、およびフィラメント３０が引っ張られる場合、Ｎｏ．５縫合アンカー２０の近位移動の前に割れることが好ましい。配備されたアンカー２０のこの特質は、骨穴の上部／近位端に向かってクリープを最小化する。骨穴が先端に形成された時には比較的小さく浅いので、骨穴における配備されたアンカー２０の近位移動は望ましくない。従って、アンカー２０のわずかな移動は骨穴からアンカー２０を完全に取り除きうる。より多くの張力がＮｏ．０縫合糸フィラメント３０に配置されている場合、Ｎｏ．５縫合アンカー２０は、所定の位置にロックするために、骨穴の底に構成され、それを広げ、くさび状に食い込む（アンカーを通るフィラメントの特定の配置、アンカー上の配備装置によって与えられるその力と位置、およびアンカー自体の特性に基づき）。特定の全縫合アンカーの特性は、例えば、米国特許出願公開第２０１２／０２９０００４号に記載されている。米国特許出願公開第２０１２／０２９０００４で説明されているように（例えば、段落００６０および図５から図６に示されており、および米国特許９１７３６５２に一般的に示され、説明されている）、本明細書で説明する軟質アンカー（または「全縫合」アンカー）の実施形態は、二つのセクションを含むことができる：少なくとも一つのフィラメントおよび繊維状構築物（固定身体）であり、配備の一部として、幅、厚さ、および／または直径が増加し、長さが縮小することがある。配備時で、幅、厚さ、および／または直径が増加するのは繊維状構築物（アンカー）であるが、フィラメントがアンカーの配備にも役割を果たすことを理解すべきである。フィラメントは、（一部の実施形態では）自由にスライドし得る、および繊維状構築物に関連して（少なくとも使用の際の特定の位置またはポイントで）他の実施形態ではスライドが可能ではない。簡潔に述べると、フィラメントは、繊維状構築物（アンカー）の位置付け、整列および支持を助ける。フィラメント３０の組み合わせに対するアンカー２０のその他の組み合わせの例には、Ｎｏ．２縫合糸を有するＮｏ．５アンカー、およびＮｏ．２−０縫合糸を有するＮｏ．２アンカーが含まれうるが、これらに限定されない。
【００２０】
図１ａに示す実施形態において、通過するフィラメント３０は、複数の通過位置３６、３８において、アンカー２０の近位側２６および遠位側２８に入りおよび出る。特に、フィラメント３０は、フィラメント３０の第一および第二の端部３２、３４がアンカー２０の遠位側２６上の中央通過位置３６から延伸する状態で、二つの中央通過位置３６および複数の長軸方向の通過位置３８でアンカー２０を通って縫う。図１に示す実施形態では、フィラメント３０は、アンカー２０の中央通過位置３６と第一および第二の端部２２、２４との間の長軸方向の通過位置３８を有する合計六つの通過位置３６、３８で、アンカー２０を通って縫う。しかし、他の実施形態では、通過位置３６、３８の数は、フィラメント３０の第一および第二の端部３２、３４が両方とも、中央通過位置３６から延伸し、長軸方向の通過位置３８が、アンカー２０の中央通過位置３６と第一および第二の端部２２、２４との間にあるかぎり、変化しても良い。
【００２１】
図２を参照すると、実施形態による、配備装置／インサータ４０上にロードされた軟質縫合アンカー構築物１０の側面図が示されている。図示するように、インサータ４０は、一対の角４４を有するフォーク状の遠位先端４２を含む。縫合アンカー構築物１０は、アンカー２０がフォーク状の先端４２上の一対の角４４の間に配置されるように、インサータ４０上にロードされる。図２に示す構成では、縫合アンカー構築物１０は、アンカー２０の遠位側２８がフォーク状の先端４２内に配置された時に遠位に位置付けられるように、インサータ４０上にロードされる。しかしながら、代替的な実施形態では、アンカー２０は、アンカー２０の遠位側２８がフォーク状の先端４２内に配置された時に近位に位置付けられるように、一対の角４４間にロードされ得る。重要なことに、アンカー２０は、フィラメント３０の第一の端部３２がインサータ４０の第一の側面４６に沿って延伸し、フィラメントの第二の端部３４がインサータ４０の第二の側面４８に沿って延伸するように、フォーク状の先端４２内に位置付けられる。
【００２２】
ここで図３〜図６を参照し、実施形態による配備装置５０上にロードされた縫合アンカー構築物１０の側面図が示されている。簡潔に述べると、図３は、長手方向軸ｙ−−ｙに沿って延在する本体を有し、遠位先端の遠位端上に位置付けられた縫合アンカー構築物１０を有する遠位先端を含む、完全に組み立てられた配備装置５０を示す。図４は、外側ハウジングが取り除かれて張力機構５６を露出させる配備装置５０を示す。図５は、外側ハウジングが取り除かれて張力機構５６を露出させる配備装置を示し、張力機構５６の周りに巻かれたフィラメント３０の第一および第二の端部３２、３４を示す。図６は、完全に組み立てられた配備装置５０、および張力機構５６を近位に移動させるように構成されたギア５８の軸方向回転（ギア５８の周りに矢印で示す）を示す。
【００２３】
いくつかの実施形態では、アンカードライバーまたは他の配備装置５０は、インサータ４０の代替として利用される。こうしたアンカードライバーまたはその他の配備装置５０は、同様に縫合アンカー構築物１０をロードするための一対の角５４を有するフォーク状の先端５２を有し得る。張力機構５６は、フィラメント３０の第一の端部３２および第二の端部３４を張力において保持し、長軸方向のｙ軸からある角度で部分的に保持する（図５参照）。張力機構５６の周りに安定的に巻かれているフィラメント３０の第一の端部３２および第二の端部３４は、これが骨穴の中へと挿入できるように、縫合アンカー構築物１０を事前配備された構成（図１〜図３に示す）に維持する。遠位先端を骨穴に（好ましくは完全に）挿入した後、縫合アンカー構築物１０は、骨穴内に（好ましくは穴の底に）縫合アンカー構築物１０を完全に拡張および設定／固定するために、（第一の端部と第二の端部を遠位先端から遠ざかる近位方向に引っ張ることにより）フィラメント３０の第一の端部３２および第二の端部３４に張力をかけることにより配備され得る。張力機構５６は、この張力を実施するために使用され得る。特に、ノブ、クランク、またはその他のギア５８を回転またはその他の方法で作動させることができ（図６を参照）、本明細書で論じるように、フィラメント３０の第一および第二の端部３２、３４を近位に引っ張り、縫合アンカー構築物１０を配備することができる。フィラメント３０の第一および第二の端部３２、３４は次に、配備装置５０から解放されてもよく、また配備装置は外科手術部位から取り外され得る。フィラメント３０の第一の端部３２および第二の端部３４は、フィラメント３０をさらに引っ張り、必要に応じて骨穴内でアンカー２０を完全に拡張および設定／配備し、手術を完了するため、使用者／医療従事者によってアンカー２０から遠位にさらに手動で引っ張ることができる（本開示の検討と併せて当業者によって理解されるべきである）。
【００２４】
軟質縫合アンカー構築物１０の配備は、図７〜図１３を参照してさらに説明され、図示されている。ここで図７を参照すると、実施形態による、あらかじめ形成された骨穴６０にインサータ４０によって移植された軟質縫合アンカー構築物１０の側面図が示されている。縫合アンカー構築物１０がインサータ４０（または他の配備装置５０）にロードされると、インサータ４０は、縫合アンカー構築物１０を狭いあらかじめ形成された骨穴６０（例えば、深さ１０ｍｍ）に押し込むために使用される。こうした狭い骨穴６０は、先端部のようなものなど、必要に応じて、より小さな骨に形成されることがよくある。骨穴６０は、パンチまたは穿孔の使用など、公知の方法および器具で形成され得る。
【００２５】
縫合アンカー構築物１０が狭い骨穴６０に入る時、アンカー２０の第一の端部２２および第二の端部２４は、骨穴６０の狭い幅によって、骨６２の表面に向かって近位方向に、折り畳まれるか、または曲がり始める。図７に示すように、アンカー２０の第一の端部２２は、フィラメント３０の第一の端部３２およびインサータ４０の第一の側面４６に向かって折り畳まれる一方、アンカー２０の第二の端部２４は、フィラメント３０の第二の端部３４およびインサータ４０の第二の側面４８に向かって折り畳まれる。
【００２６】
縫合アンカー構築物１０があらかじめ形成された骨穴６０に挿入された後、縫合アンカー構築物１０を配備することができる。図８を参照すると、配備中のあらかじめ形成された骨穴６０における軟質縫合アンカー構築物１０の側面図が示されている。縫合アンカー構築物１０を配備するために、インサータ４０は、所定位置に保持され、骨穴６０内に完全に挿入され、一方、フィラメント３０の第一および第二の端部３２、３４が張力を受け、近位方向にアンカー２０から引き離される。フィラメント３０の第一および第二の端部３２、３４が引っ張られた時、通過位置３６、３８のそれぞれの間のアンカー２０の長さは、通過位置３６、３８の間のフィラメント３０のたるみが最小化されるとき、共に近くに引っ張られる。一方、結果として、アンカー２０の第一の端部２２および第二の端部２４は、骨穴６０の底部６４に向かって遠位方向に面するように、回転し始める。
【００２７】
図９を参照すると、配備中のあらかじめ形成された骨穴６０内の軟質縫合アンカー構築物１０の別の側面図が示されている。縫合アンカー構築物１０の配備を続けるために、フィラメント３０の第一および第二の端部３２、３４は、アンカー２０から離れる近位方向にさらに引っ張られる。アンカー２０の通過位置３６、３８間のフィラメント３０の追加的なたるみは、第一および第二の端部３２、３４が引かれた時に減少する。結果として、アンカー２０の第一および第二の端部２２、２４は、アンカー２０の端部２２、２４が骨穴６０の底部６４に面するまで、引き続き折り畳まれるか、またはその他の方法で曲がる。アンカー２０の第一および第二の端部２２、２４が折り畳むとき、プリーツ２１が隣接する通過位置３６、３８の間で形成し始める。
【００２８】
図１０を参照すると、配備中のあらかじめ形成された骨穴６０における軟質縫合アンカー構築物１０の追加的側面図が示されている。アンカー２０の第一および第二の端部２２、２４が回転して骨穴６０の底部６４に面すると、フィラメント３０の第一および第二の端部３２、３４はアンカー２０から離れて遠位方向にさらに引っ張られる。追加された張力は、再びアンカー２０の隣接する通過位置３６、３８の間のフィラメント３０を短縮する。結果として、アンカー２０の第一および第二の端部２２、２４は、アンカー２０を通して中央長手方向ｙ軸に向かって一緒に近くに引っ張られる。追加的な結果として、隣接する通過位置３６、３８の間のプリーツ２１がより画定される。
【００２９】
その後、図１１に示すように、アンカー２０に隣接する通過位置３６、３８の間に残留するたるみがないところまで、フィラメント３０の第一および第二の端部３２、３４が引っ張られる。図示した実施形態では、アンカー２０の端部２２、２４は、骨穴６０の底部６４に面し、アンカー２０の中央長軸方向のｙ軸付近である。示されるように、六つの通過位置３６、３８を有するアンカー２０は、四つの画定されたプリーツ２１を有する。フィラメント３０の端部３２、３４に追加的な張力を適用することで、図１２に示す完全に配備された構成に達するまで、アンカー２０を骨穴６０の内側に広げまたは拡張するために、強制することにより、アンカー２０を強化する。特に、描かれた実施形態は、アンカー２０が圧縮されるかまたは短くなるにつれて、アンカー２０が、アンカーを骨穴の適所（好ましくは、または骨穴の底またはそれに近い）に設定または固定するために、その長さ（すなわち、幅または厚さ）に垂直な方向に拡張する。プリーツは、第一の距離３１（図１）から第一の距離３１よりも比較的短い第二の距離３３までフィラメント３０に沿って測定されるとき、隣接する通過位置３６、３８間の距離を減じる。
【００３０】
プリーツ２１は、直径を増加させるマットレス厚の積み重ねを形成する（アンカー２０のｙ軸と骨穴６０のｙ軸に関連して測定される）。骨穴６０のｙ軸から距離におけるこの相対的なサイズの増加は、上述の幅および／または厚さの膨張を含む、アンカー２０の保持力を作り出す。言い換えれば、長さの減少中の幅および／またはマットレスの厚さの増大のポアソン比は、アンカー２０のプリーツ２１の力による増加に加えて配備サイズの増加を提供する。ポアソン比は、材料が圧縮方向に垂直な方向に膨張する原因と効果の関係を定義し、反対に、拡張する材料は、拡張方向を横断する方向に収縮する傾向がある。比は、伸縮的に拡張された材料のサンプル内の長さの比例増加に対する長さ方向の計測の比例減少を定義する。従って、例えば、材料がｘ方向に圧縮される場合、材料はｙ方向および／またはｚ方向に膨張する。ポアソン比の利用の例は、図７（骨穴に挿入さているが、事前配備された構成における縫合アンカー構築物１０を示す）および図１２（配備された構成の縫合アンカー構築物１０を示す）の比較によって示されている。従って、示されている六つから七つまたはそれ以上の通過位置３６、３８の数を増やすことは、プリーツ２１の数を増加させる可能性が高く、従って配備後のアンカー２０のサイズを増大する可能性が高い。しかしながら、制限要因は、追加的な通過位置３６、３８によって増加する摩擦の量である。さらに、骨穴６０のサイズは追加的な制限因子である。
【００３１】
図１２を参照すると、縫合アンカー構築物１０は、インサータ４０が縫合アンカー構築物１０および骨穴６０から取り外された状態で、完全に配備された構成にある。図１３は、フィラメント３０がアンカー２０から延伸する配備された状態構成の骨穴の外側の縫合アンカー構築物１０の拡大図を示す。図１２を再び参照すると、フィラメント３０は、フィラメント３０全体が骨穴６０から取り外されるまで、第一の端部３２または第二の端部３４のいずれかを引っ張ることによってアンカー２０から取り外され得る。アンカー２０が骨穴６０内設定されてそれに固定されると、配備状態におけるアンカー２０の最終形態によりフィラメント３０が簡単にスライドできるようになる。すなわち、この構成におけるアンカー２０の引張強さは、フィラメント３０が簡単に取り外される一方で、アンカー２０を定位置に保つのに十分である。
【００３２】
一つの特定の軟質縫合アンカー構築物１０が図１〜図１３に関して示され、さらに説明されているが、軟質縫合アンカー構築物１０’および１０’’の他の実施形態が、図１４Ａ〜図１４Ｄに関して示され説明される。フィラメント３０が張力を受ける時、アンカー２０が「ボールアップする」または配備構成に入ることができることは、部分的に、アンカー２０の長手方向軸ｘ−−ｘの方向に沿ってフィラメント３０の方向の少なくとも一つの変化／シフトによる。フィラメント３０の端部３２／３４は、こうした配備された構成構築物を形成するように構成されるように、必ずしもアンカーの中央および／またはその端部２２／２４に近接／隣接して通過する必要はない。（上記の実施形態に加えて）これらの説明された実施形態では、好ましく必要なのは、二つのフィラメント端部３２／３４間に加えられる圧力に加えて、アンカー２０の長手方向軸ｘ−−ｘの方向に沿ったフィラメントの方向の少なくとも一つの変化である（例えば、図２と図１１の比較で示されているように、インサータ４０が、フィラメント端部３２／３４の間にアンカー上に配置され、フィラメントの部分とアンカーを一緒に捕捉し、アンカーを配備するために、縫合糸の端部３２／３４を引っ張る／張力をかける力と反対の方向に圧力／力を維持する）。
【００３３】
例えば、図１４Ａを参照すると、フィラメント３０は、第一のフィラメント端部３２で開始され、アンカー２０の近位側２６から遠位側２８へ第一のアンカー端部２２の近くの通過位置３５でアンカー２０を通過することが示されている。フィラメント３０は、第二の端部２４に向かって軸ｘ−−ｘに平行な軸に沿って第一の方向４３に延伸する。次に、フィラメント３０は、通過位置３９で遠位側２８からにある近位側２６まで第二の端部２４の近くでアンカー２０を通過し、（第一の方向と反対の）第二の方向４５に延伸し続ける。フィラメント３０は、（近位側２６から遠位側２８まで）通過位置４１で、および（遠位側２８から近位側２６まで）通過位置３７で、アンカー２０をさらに二回通過して第二の端部３４で終了する。（アンカー２０の長手方向軸ｘ−−ｘに対してある角度で）フィラメント３０が何度アンカー３０を通過しても、第一の端部３２から第二の端部３４まで測定されたアンカー２０の長手方向軸ｘ−−ｘに関して、図１４Ａのフィラメント３０の方向には一つの変化／シフトが依然として存在するであろう。この方向の変化／シフトは、少なくとも一つのたるみ線を作成する４７（それは、アンカー表面のアンカーの外側の第一の方向の開始点で始まり、同じアンカー表面でアンカーの外側の第一の方向の端で終了する、すなわち、遠位側／表面２８の位置４９から遠位側／表面２８の位置５１で）。フィラメント端部３２／３４の間でアンカー２０に対して配置されたインサータの反力対フィラメント端部３２／３４をアンカーから引き離す（上記のとおり）ことにより、アンカー端部２２および２４は、図１４Ｂに示されるように、最大たるみ線に向かう方向（ここでは、たるみ線４７に向かう）に曲がる。任意の実施形態に関して、「最も大きなたるみ線」は、アンカー２０の一方の側２６／２８にある長さにおいて最大であるたるみ線である（単一−図１４Ａを参照、または追加／組み合わせ−図１４Ｃを参照）。例えば、図１４Ａの最大かつ唯一の適切なたるみ線は、たるみ線４７であり、これは通過位置３５を通って延伸し、ポイント４９で遠位端２８から出て、最も近いアンカー端部２２から離れて延伸し、通過位置３９の始点で、ポイント５１で終了するフィラメント端部３２によって作成される。
【００３４】
図１４Ｃを参照すると、方向実施形態の二つの変化が示されている（図１〜図１３に関しても方向実施形態の二つの変化が示されている）。簡潔に述べると、フィラメント３０は、第一のフィラメント端部３２で開始され、アンカー２０の近位側２６から遠位側２８まで、第一のアンカー端部２２の近くに通過位置３５でアンカー２０を通過することが示されている。フィラメント３０は、第二の端部２４に向かって軸ｘ−−ｘに平行な軸に沿って第一の方向４３に延伸する。フィラメント３０は、その後、遠位側２８から通過位置３９での近位側２６までアンカー２０を通過し、（第一の方向と反対の）第二の方向４５に延伸し続ける。フィラメント３０は、その後（近位側２６から遠位側２８まで）通過位置４１でアンカー２０を通過し、第二のアンカー端部２４に向かって戻って延伸する。フィラメント３０は、第二の端部２４に向かって軸ｘ−−ｘに平行な軸に沿って第一の方向４３に延伸し続ける。フィラメント３０は、その後、遠位側２８から通過位置３９’で近位側２６までアンカー２０を通過し、第二のフィラメント端部３４を形成する近位方向に延伸し続ける。（アンカー２０の長手方向軸ｘ−−ｘに対してある角度で）フィラメント３０が何度アンカー３０を通過しても、第一の端部３２から第二の端部３４まで測定されたアンカー２０の長手方向軸ｘ−−ｘに関して、図１４Ｃのフィラメント３０の方向には二つの変化／シフトが依然として存在するであろう。これらの方向の変化／シフトは、二つのたるみ線４７および５１で作成される（たるみ線４７は、二つのループの組み合わせを含むとき、最大である）。フィラメント端部３２／３４の間でアンカー２０に対して配置されたインサータの反力対フィラメント端部３２／３４をアンカーから引き離す（上記のとおり）ことにより、アンカー端部２２および２４は、図１４Ｄに示されるように、最大たるみ線に向かう方向（ここでは、組わされたたるみ線４７に向かう）に曲がる。
【００３５】
本発明の実施形態は、特定の例示的な実施形態を参照して特に示され、説明されたが、記載された説明および図面によって支持され得る請求項によって定義される本発明の精神および範囲から逸脱することなく、細部におけるさまざまな変更がもたらされ得ることを、当業者には理解されるであろう。さらに、例示的な実施形態が特定の数の要素を参照して説明される場合、例示的実施形態は、特定の数の要素以下のいずれかを利用して実施され得ることが理解されよう。
【図１】
2020522329.tif 000003
【図２】
2020522329.tif 000004
【図３】
2020522329.tif 000005
【図４】
2020522329.tif 000006
【図５】
2020522329.tif 000007
【図６】
2020522329.tif 000008
【図７】
2020522329.tif 000009
【図８】
2020522329.tif 000010
【図９】
2020522329.tif 000011
【図１０】
2020522329.tif 000012
【図１１】
2020522329.tif 000013
【図１２】
2020522329.tif 000014
【図１３】
2020522329.tif 000015
【図１４Ａ】
2020522329.tif 000016
【図１４Ｂ】
2020522329.tif 000017
【図１４Ｃ】
2020522329.tif 000018
【図１４Ｄ】
2020522329.tif 000019
【国際調査報告】
2020522329.tif 000020